【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
システムであって、
容量タッチコントローラと、
ジェスチャ検出デバイスと、
少なくとも１つの第１の電極および少なくとも１つの第２の電極を有する容量センサであって、前記少なくとも１つの第１の電極は、ＡＣ信号を前記第１の電極に供給するための制御可能発生器と連結されている、容量センサと、
前記少なくとも１つの第２の電極、前記タッチコントローラの入力、および前記ジェスチャ検出デバイスの入力間の構成可能な連結器であって、前記連結器は、前記システムが、前記制御可能発生器がオフにされる第１の構成モードにおいて、前記タッチコントローラによって、前記第２の電極から受信された信号からタッチ検出を行ない、前記制御可能発生器がオンにされる第２の構成モードにおいて、前記ジェスチャ検出デバイスによって、前記第２の電極から受信された信号からジェスチャ検出を行なうことを可能にするように構成されることができる、連結器と
を備える、システム。
【請求項２】
前記連結器は、前記第２の電極を前記タッチコントローラまたは前記ジェスチャ検出デバイスのいずれかに接続するために動作可能な切替配列を備える、請求項１に記載のシステム。
【請求項３】
前記切替配列は、マルチプレクサを備える、請求項２に記載のシステム。
【請求項４】
前記切替配列は、単極双投スイッチを備える、請求項２に記載のシステム。
【請求項５】
前記タッチコントローラの入力と接地との間に接続されたレジスタをさらに備える、請求項２に記載のシステム。
【請求項６】
前記レジスタと連結された電流源をさらに備える、請求項５に記載のシステム。
【請求項７】
前記ジェスチャ検出デバイスの入力とＤＣ電圧との間に接続されたレジスタをさらに備える、請求項１に記載のシステム。
【請求項８】
前記連結器は、前記タッチコントローラと前記ジェスチャ検出デバイスとの間に同期接続を備える、請求項１に記載のシステム。
【請求項９】
前記同期接続は、前記タッチコントローラから前記ジェスチャ検出デバイスに状態を信号伝達するように構成された第１の同期ラインと、前記ジェスチャ検出デバイスから前記タッチコントローラに状態を信号伝達するように構成された第２の同期ラインとを備える、請求項８に記載のシステム。
【請求項１０】
前記同期接続は、前記タッチコントローラと前記ジェスチャ検出デバイスとの間に双方向性通信インターフェースを備える、請求項８に記載のシステム。
【請求項１１】
前記双方向性通信インターフェースは、Ｉ２Ｃインターフェースである、請求項１０に記載のシステム。
【請求項１２】
前記第２の電極は、前記タッチコントローラの入力および前記ジェスチャ検出デバイスの入力と連結され、前記タッチコントローラの入力は、前記連結器が前記第２の構成モードで動作するように構成されるとき、高インピーダンスモードに切り替えられるように動作可能であり、前記制御可能発生器は、前記第２の構成モードにおいて、前記ＡＣ信号を前記第１の電極に供給する、請求項１に記載のシステム。
【請求項１３】
前記タッチコントローラと前記ジェスチャ検出デバイスとの間に同期接続をさらに備える、請求項１２に記載のシステム。
【請求項１４】
前記同期接続は、前記タッチコントローラから前記ジェスチャ検出デバイスに状態を信号伝達するように構成された第１の同期ラインと、前記ジェスチャ検出デバイスから前記タッチコントローラに状態を信号伝達するように構成された第２の同期ラインとを備える、請求項１３に記載のシステム。
【請求項１５】
前記同期接続は、前記タッチコントローラと前記ジェスチャ検出デバイスとの間に双方向性通信インターフェースを備える、請求項１３に記載のシステム。
【請求項１６】
前記双方向性通信インターフェースは、Ｉ２Ｃインターフェースである、請求項１５に記載のシステム。
【請求項１７】
前記第２の電極は、前記ジェスチャ検出デバイスの入力に接続され、前記連結器は、単極単投スイッチを備え、前記単極単投スイッチは、低オフアイソレーション値および低スイッチオン静電容量を有し、前記第２の電極を前記タッチコントローラに接続するように動作可能である、請求項１に記載のシステム。
【請求項１８】
前記第２の電極は、前記タッチコントローラの入力に接続され、前記連結器は、単極単投スイッチを備え、前記単極単投スイッチは、低オフアイソレーション値および低スイッチオン静電容量を有し、前記第２の電極を前記ジェスチャ検出デバイスに接続するように動作可能である、請求項１に記載のシステム。
【請求項１９】
容量センサデバイスの一方の電極と連結されるように構成された、容量タッチコントローラおよび非タッチジェスチャ検出デバイスを備えるシステム内でタッチおよび非タッチジェスチャ検出を行なうための方法であって、前記容量センサデバイスの別の電極は、ＡＣ信号を前記別の電極に供給するための制御可能発生器と連結され、
前記方法は、前記容量センサの前記一方の電極と前記タッチコントローラの入力または前記ジェスチャ検出デバイスの入力との間の連結器を構成することを含み、前記連結器は、前記システムが、前記制御可能発生器がオフにされる第１の構成モードにおいて、前記タッチコントローラによって、第２の電極から受信された信号からタッチ検出を行ない、第２の構成モードにおいて、前記ジェスチャ検出デバイスによって、前記第２の電極から受信された信号からジェスチャ検出を行なうことを可能にするように構成され、前記制御可能発生器は、前記第２の構成モードにある場合、前記ＡＣ信号を前記別の電極に供給するようにオンにされる、方法。
【請求項２０】
前記連結器は、前記第２の電極と前記タッチコントローラおよび前記ジェスチャ検出デバイスの入力との間に切替配列を備え、
前記方法は、前記第１の構成モードの間、前記第２の電極を前記ジェスチャ検出デバイスの入力から分断し、前記第２の電極を前記タッチコントローラと連結することと、前記第２の構成モードの間、前記第２の電極を前記タッチコントローラの入力から分断し、前記第２の電極を前記ジェスチャ検出デバイスと連結することとをさらに含む、請求項１９に記載の方法。
【請求項２１】
前記第２の電極は、前記タッチコントローラの入力および前記ジェスチャ検出デバイスの入力と連結され、
前記方法は、前記第２の構成モードの間、前記タッチコントローラの入力を高インピーダンスモードに切り替えることをさらに含む、請求項２０に記載の方法。
【請求項２２】
前記タッチコントローラと前記ジェスチャ検出デバイスとの間に同期接続をさらに備え、
前記方法は、前記同期接続を用いて、前記ジェスチャ検出デバイスおよび前記タッチコントローラによる個別の検出プロセスの終了を相互に信号伝達するステップをさらに含む、請求項２１に記載の方法。
【請求項２３】
前記同期接続は、前記タッチコントローラから前記ジェスチャ検出デバイスに状態を信号伝達するように構成された第１の同期ラインと、前記ジェスチャ検出デバイスから前記タッチコントローラに状態を信号伝達するように構成された第２の同期ラインとを備える、請求項２２に記載の方法。
【請求項２４】
前記同期接続は、前記タッチコントローラと前記ジェスチャ検出デバイスとの間に双方向性通信インターフェースを備える、請求項２２に記載の方法。
【請求項２５】
前記ジェスチャ検出デバイスをマスタとして、前記タッチコントローラをスレーブデバイスとして構成することと、前記タッチコントローラによって判定されたデータを前記ジェスチャ検出デバイスに送ることとをさらに含む、請求項２４に記載の方法。
【請求項２６】
前記ジェスチャ検出デバイスによって、前記タッチコントローラおよび／または前記ジェスチャ検出デバイスによって判定された全データを上位プロセッサに通信することをさらに含む、請求項２５に記載の方法。
【請求項２７】
前記第２の電極は、前記ジェスチャ検出デバイスの入力に接続され、
前記方法は、前記第１の構成モードの間、単極単投スイッチを使用して、前記第２の電極を前記タッチコントローラに接続することをさらに含む、請求項１９に記載の方法。
【請求項２８】
前記第２の電極は、前記タッチコントローラの入力に接続され、
前記方法は、前記第２の構成モードの間、単極単投スイッチを使用して、前記第２の電極を前記ジェスチャ検出デバイスに接続することをさらに含む、請求項１９に記載の方法。
【手続補正２】
【補正対象書類名】明細書
【補正対象項目名】０００７
【補正方法】変更
【補正の内容】
【０００７】
本方法のさらなる実施形態によると、連結器は、該第２の電極と該タッチコントローラおよび該ジェスチャ検出デバイスの入力との間に切替配列を備えてもよく、本方法はさらに、該第１の構成モードの間、第２の電極をジェスチャ検出デバイスの入力から分断し、第２の電極をタッチコントローラと連結することと、該第２の構成モードの間、第２の電極をタッチコントローラの入力から分断し、第２の電極をジェスチャ検出デバイスと連結することとを含んでもよい。本方法のさらなる実施形態によると、第２の電極は、タッチコントローラの入力およびジェスチャ検出デバイスの入力と連結され、本方法はさらに、該第２の構成モードの間、タッチコントローラの入力を高インピーダンスモードに切り替えることを含んでもよい。本方法のさらなる実施形態によると、本方法はさらに、タッチコントローラとジェスチャ検出デバイスとの間に同期接続を備えてもよく、本方法はさらに、同期接続を用いて、該ジェスチャ検出デバイスおよび該タッチコントローラによる個別の検出プロセスの終了を相互に信号伝達するステップを含む。本方法のさらなる実施形態によると、同期接続は、タッチコントローラからジェスチャ検出デバイスに状態を信号伝達するように構成される、第１の同期ラインと、ジェスチャ検出デバイスからタッチコントローラに状態を信号伝達するように構成される、第２の同期ラインとを備えてもよい。本方法のさらなる実施形態によると、同期接続は、タッチコントローラとジェスチャ検出デバイスとの間に双方向性通信インターフェースを備えてもよい。本方法のさらなる実施形態によると、本方法はさらに、ジェスチャ検出デバイスをマスタとして、タッチコントローラをスレーブデバイスとして構成することと、タッチコントローラによって判定されたデータをジェスチャ検出デバイスに通信することとを含んでもよい。本方法のさらなる実施形態によると、本方法はさらに、該ジェスチャ検出デバイスによって、タッチコントローラおよびジェスチャ検出デバイスによって判定された全データを上位プロセッサに通信することを含んでもよい。本方法のさらなる実施形態によると、第２の電極は、ジェスチャ検出デバイスの入力に接続され、本方法はさらに、第１の構成モードの間、単極単投スイッチを使用して、第２の電極をタッチコントローラに接続することを含んでもよい。本方法のさらなる実施形態によると、第２の電極は、タッチコントローラの入力に接続されることができ、本方法はさらに、該第２の構成モードの間、単極単投スイッチを使用して、第２の電極をジェスチャ検出デバイスに接続することを含んでもよい。
本願明細書は、例えば、以下の項目も提供する。
（項目１）
タッチコントローラと、
ジェスチャ検出デバイスと、
少なくとも１つの第１および少なくとも１つの第２の電極を有する容量センサであって、前記少なくとも１つの第１の電極は、ＡＣ信号を前記第１の電極に供給するための制御可能発生器と連結されている、容量センサと、
前記少なくとも１つの第２の電極、前記タッチコントローラの入力、および前記ジェスチャ検出デバイスの入力間の構成可能な連結器であって、前記連結器は、前記システムが、第１の構成モードにおいて、前記タッチコントローラによって、前記第２の電極から受信された信号からタッチ検出を行ない、第２の構成モードにおいて、前記ジェスチャ検出デバイスによって、前記第２の電極から受信された信号からジェスチャ検出を行なうことを可能にするように構成されることができる、連結器と
を備える、システム。
（項目２）
前記連結器は、前記第２の電極を前記タッチコントローラまたは前記ジェスチャ検出デバイスのいずれかに接続するために動作可能な切替配列を備える、項目１に記載のシステム。
（項目３）
前記切替配列は、マルチプレクサを備える、項目２に記載のシステム。
（項目４）
前記切替配列は、単極双投スイッチ（ＳＰＤＴ）を備える、項目２に記載のシステム。
（項目５）
前記タッチコントローラの入力と接地との間に接続されたレジスタをさらに備える、項目４に記載のシステム。
（項目６）
前記レジスタと連結された電流源をさらに備える、項目５に記載のシステム。
（項目７）
前記ジェスチャ検出デバイスの入力と直流（ＤＣ）電圧との間に接続されたレジスタをさらに備える、項目１に記載のシステム。
（項目８）
前記タッチコントローラと前記ジェスチャ検出デバイスとの間に同期接続をさらに備える、項目１に記載のシステム。
（項目９）
前記同期接続は、前記タッチコントローラから前記ジェスチャ検出デバイスに状態を信号伝達するように構成された第１の同期ラインと、前記ジェスチャ検出デバイスから前記タッチコントローラに状態を信号伝達するように構成された第２の同期ラインとを備える、項目８に記載のシステム。
（項目１０）
前記同期接続は、前記タッチコントローラと前記ジェスチャ検出デバイスとの間に双方向性通信インターフェースを備える、項目８に記載のシステム。
（項目１１）
前記双方向性通信インターフェースは、Ｉ２Ｃインターフェースである、項目１０に記載のシステム。
（項目１２）
前記第２の電極は、前記タッチコントローラの入力および前記ジェスチャ検出デバイスの入力と連結され、前記タッチコントローラの入力は、前記連結器が前記第２の構成モードで動作するように構成されるとき、高インピーダンスモードに切り替えられるように動作可能であり、前記制御可能発生器は、前記第２の構成モードにおいて、前記ＡＣ信号を前記第１の電極に供給する、項目１に記載のシステム。
（項目１３）
前記タッチコントローラと前記ジェスチャ検出デバイスとの間に同期接続をさらに備える、項目１２に記載のシステム。
（項目１４）
前記同期接続は、前記タッチコントローラから前記ジェスチャ検出デバイスに状態を信号伝達するように構成された第１の同期ラインと、前記ジェスチャ検出デバイスから前記タッチコントローラに状態を信号伝達するように構成された第２の同期ラインとを備える、項目１３に記載のシステム。
（項目１５）
前記同期接続は、前記タッチコントローラと前記ジェスチャ検出デバイスとの間に双方向性通信インターフェースを備える、項目１３に記載のシステム。
（項目１６）
前記双方向性通信インターフェースは、Ｉ２Ｃインターフェースである、項目１５に記載のシステム。
（項目１７）
前記第２の電極は、前記ジェスチャ検出デバイスの入力に接続され、前記連結器は、単極単投スイッチを備え、前記単極単投スイッチは、低オフアイソレーション値および低スイッチオン静電容量を有し、前記第２の電極を前記タッチコントローラに接続するように動作可能である、項目１に記載のシステム。
（項目１８）
前記第２の電極は、前記タッチコントローラの入力に接続され、前記連結器は、単極単投スイッチを備え、前記単極単投スイッチは、低オフアイソレーション値および低スイッチオン静電容量を有し、前記第２の電極を前記ジェスチャ検出デバイスに接続するように動作可能である、項目１に記載のシステム。
（項目１９）
容量センサデバイスの一方の電極と連結されるように構成された、タッチコントローラおよび非タッチジェスチャ検出デバイスを備えるシステム内でタッチおよび非タッチジェスチャ検出を行なうための方法であって、前記容量センサデバイスの別の電極は、ＡＣ信号を前記別の電極に供給するための制御可能発生器と連結され、
前記方法は、前記容量センサの前記一方の電極と前記タッチコントローラの入力または前記ジェスチャ検出デバイスの入力との間の連結器を構成することを含み、前記連結器は、前記システムが、第１の構成モードにおいて、前記タッチコントローラによって、第２の電極から受信された信号からタッチ検出を行ない、第２の構成モードにおいて、前記ジェスチャ検出デバイスによって、前記第２の電極から受信された信号からジェスチャ検出を行なうことを可能にするように構成され、前記制御可能発生器は、前記第２の構成モードにある場合、前記ＡＣ信号を前記別の電極に供給する、方法。
（項目２０）
前記連結器は、前記第２の電極と前記タッチコントローラおよび前記ジェスチャ検出デバイスの入力との間に切替配列を備え、
前記方法は、前記第１の構成モードの間、前記第２の電極を前記ジェスチャ検出デバイスの入力から分断し、前記第２の電極を前記タッチコントローラと連結することと、前記第２の構成モードの間、前記第２の電極を前記タッチコントローラの入力から分断し、前記第２の電極を前記ジェスチャ検出デバイスと連結することとをさらに含む、項目１９に記載の方法。
（項目２１）
前記第２の電極は、前記タッチコントローラの入力および前記ジェスチャ検出デバイスの入力と連結され、
前記方法は、前記第２の構成モードの間、前記タッチコントローラの入力を高インピーダンスモードに切り替えることをさらに含む、項目２０に記載の方法。
（項目２２）
前記タッチコントローラと前記ジェスチャ検出デバイスとの間に同期接続をさらに備え、
前記方法は、前記同期接続を用いて、前記ジェスチャ検出デバイスおよび前記タッチコントローラによる個別の検出プロセスの終了を相互に信号伝達するステップをさらに含む、項目２１に記載の方法。
（項目２３）
前記同期接続は、前記タッチコントローラから前記ジェスチャ検出デバイスに状態を信号伝達するように構成された第１の同期ラインと、前記ジェスチャ検出デバイスから前記タッチコントローラに状態を信号伝達するように構成された第２の同期ラインとを備える、項目２２に記載の方法。
（項目２４）
前記同期接続は、前記タッチコントローラと前記ジェスチャ検出デバイスとの間に双方向性通信インターフェースを備える、項目２２に記載の方法。
（項目２５）
前記ジェスチャ検出デバイスをマスタとして、前記タッチコントローラをスレーブデバイスとして構成することと、前記タッチコントローラによって判定されたデータを前記ジェスチャ検出デバイスに通信することとをさらに含む、項目２４に記載の方法。
（項目２６）
前記ジェスチャ検出デバイスによって、前記タッチコントローラおよび前記ジェスチャ検出デバイスによって判定された全データを上位プロセッサに通信することをさらに含む、項目２５に記載の方法。
（項目２７）
前記第２の電極は、前記ジェスチャ検出デバイスの入力に接続され、
前記方法は、前記第１の構成モードの間、単極単投スイッチを使用して、前記第２の電極を前記タッチコントローラに接続することをさらに含む、項目１９に記載の方法。
（項目２８）
前記第２の電極は、前記タッチコントローラの入力に接続され、
前記方法は、前記第２の構成モードの間、単極単投スイッチを使用して、前記第２の電極を前記ジェスチャ検出デバイスに接続することをさらに含む、項目１９に記載の方法。